(57)【特許請求の範囲】
【請求項１】
ユーザによって正方向または逆方向に回転するものであり、表示窓（１１、１１１）が形成された外側キャップ（１０１１０）と、
内周面に薬ビン（Ｂ）の入口（Ｂ１）にねじ結合するねじ部（２０ａ、１２０ａ）が形成されたものであり、前記外側キャップ（１０、１１０）の内側に回転可能に設置される内側キャップ（２０、１２０）と、
前記外側キャップ（１０、１１０）と内側キャップ（２０、１２０）との間に設置されるものであり、前記内側キャップ（２０、１２０）に対し前記外側キャップ（１０、１１０）が正逆回転する時、前記表示窓（１１、１１１）に変わった日付を表示する日付表示部（３０、１３０）と、
を含み、
前記外側キャップ（１０）の上部には表示窓（１１）が形成されて、
前記日付表示部（３０）は、上部に前記表示窓（１１）を通して露出する多数の日付が表示される回転表示端（３１）を含み
前記外側キャップ（１０）は、内周面側部に形成された突起（１２）と、内側上部に形成された弾性突起（１３）を含み、
前記内側キャップ（２０）は、外周面に前記突起（１２）が挟み込まれて特定間隔動くようにする空間を形成する突起溝（２２）を含み、
前記日付表示部（３０）は、前記回転表示端（３１）を画する区画端（３２）と、前記弾性突起（１３）が挟み込まれるものであり、前記区画端（３２）の間で円周をなして形成される多数の弾性突起係止端（３３、３３’）を含むことを特徴とする、薬ビン用日付表示キャップ。
【請求項２】
前記突起（１２）は、
前記内側キャップ（２０）を外側キャップ（１０）に結合させる時外側方向に押圧されながら前記突起溝（２２）に嵌合するようにする嵌合傾斜面（１２ａ）をさらに含むことを特徴とする、請求項１に記載の薬ビン用日付表示キャップ。
【請求項３】
前記弾性突起（１３）は、
前記外側キャップ（１０）の内側上部に固定される固定端（１３ａ）と、前記固定端（１３ａ）で一側に延びる弾性端（１３ｂ）と、前記弾性端（１３ｂ）と連結されて特定弾性突起係止端（３３、３３’）に選択的に係止される嵌合押圧端（１３ｃ）を含むことを特徴とする、請求項１に記載の薬ビン用日付表示キャップ。
【請求項４】
前記外側キャップ（１０）の下端に形成されて前記内側キャップ（２０）の下端を支持する離脱防止突起（１５）をさらに含むことを特徴とする、請求項１に記載の薬ビン用日付表示キャップ。
【請求項５】
前記離脱防止突起（１５）に形成されたものであり、前記内側キャップ（２０）が前記外側キャップ（１０）に嵌合される方向に形成された傾斜面（１５ａ）をさらに含むことを特徴とする、請求項４に記載の薬ビン用日付表示キャップ。
【請求項６】
ユーザによって正方向または逆方向に回転するものであり、表示窓（１１、１１１）が形成された外側キャップ（１０１１０）と、
内周面に薬ビン（Ｂ）の入口（Ｂ１）にねじ結合するねじ部（２０ａ、１２０ａ）が形成されたものであり、前記外側キャップ（１０、１１０）の内側に回転可能に設置される内側キャップ（２０、１２０）と、
前記外側キャップ（１０、１１０）と内側キャップ（２０、１２０）との間に設置されるものであり、前記内側キャップ（２０、１２０）に対し前記外側キャップ（１０、１１０）が正逆回転する時、前記表示窓（１１、１１１）に変わった日付を表示する日付表示部（３０、１３０）と、
を含み、
前記外側キャップ（１１０）の側部には表示窓（１１１）が形成されて、
前記日付表示部（１３０）は、側部外周面に前記表示窓（１１１）に露出する多数の日付が表示される回転表示端（１３１）を含み、
前記内側キャップ（１２０）の外周面に形成された第１係止部（１４０）と、
前記外側キャップ（１１０）の内周面に形成されたものであり、前記第１係止部（１４０）が係止されて制限的に動けるようにする空間を提供する第２係止部（１５０）と、
前記外側キャップ（１１０）の内側に形成されたものであり、一方向に傾斜面が形成された多数の第１ラッチ端（１６０）と、
前記日付表示部（１３０）の外周面に形成されたものであり、前記第１ラッチ端（１６０）と同じ方向の傾斜面が形成された多数の第２ラッチ端（１７０）と、
前記日付表示部（１３０）の内周面に形成されたものであり、前記第２ラッチ端（１７０）と逆方向の傾斜面が形成された多数の第３ラッチ端（１８０）と、
前記内側キャップ（１２０）の外周面に形成されたものであり、第３ラッチ端（１８０）と同じ方向の傾斜面が形成された多数の第４ラッチ端（１９０）と、をさらに含むことを特徴とする、薬ビン用日付表示キャップ。
【請求項７】
前記外側キャップ１１０の内側上段に管状の嵌合管部１１２が形成されて、
前記日付表示部１３０には前記嵌合管部１１２に回転可能に嵌合するようになる嵌合突部１３２が形成されて、
前記第１ラッチ端１６０は、前記嵌合管部１１２の内周面に形成されて、
前記第２ラッチ端１７０は、前記嵌合突部１３２の外周面に形成されることを特徴とする、請求項６に記載の薬ビン用日付表示キャップ。
【請求項８】
前記第１ラッチ端１６０は、前記外側キャップ１１０の内周面に一側方向に斜めに形成された翼形態で、
前記第３ラッチ端１８０は、前記日付表示部１３０の内周面に他側方向に斜めに形成された翼形態であることを特徴とする、請求項６に記載の薬ビン用日付表示キャップ。
【請求項９】
前記内側キャップ（１２０）は、第１内側キャップ部（１２１）及び第２内側キャップ部（１２２）を有し、
前記第１係止部（１４０）は、前記第１内側キャップ部（１２１）の外周面に形成されて、
前記第４ラッチ端（１９０）は、前記第２内側キャップ部（１２２）の外周面に形成されることを特徴とする、請求項６に記載の薬ビン用日付表示キャップ。
【請求項１０】
前記第２内側キャップ部（１２２）の径は、前記第１内側キャップ部（１２１）より小さく段差が形成されることを特徴とする、請求項９に記載の薬ビン用日付表示キャップ。
【請求項１１】
前記第１係止部（１４０）は、前記第１内側キャップ部（１２１）の外周面で突出した突起で具現されて、
前記第２係止部（１５０）は、前記外側キャップ（１１０）の入口側内周面に円周方向に沿って所定角度だけ形成された円周溝で具現されるものであり、前記外側キャップ（１１０）を回転させる時円周溝形態の前記第２係止部（１５０）の前段（１５０ａ）及び後段（１５０ｂ）との間で前記第１係止部（１４０）が制限的に動く空間を提供することを特徴とする、請求項９に記載の薬ビン用日付表示キャップ。
【請求項１２】
前記内側キャップ（１２０）に固定される防湿剤キャップ（２１０）をさらに含むことを特徴とする、請求項６に記載の薬ビン用日付表示キャップ。
【発明の詳細な説明】
【技術分野】
【０００１】
本発明は、瓶用日付表示キャップに関し、より詳細には薬を取り出すためにキャップを開ける度に日付が自動的に変わる薬ビン用日付表示キャップに関する。
【背景技術】
【０００２】
現代社会の産業発展に伴って各種公害と業務ストレスなどにより多様な形態の疾病が発生し、長期間の種々の薬を服用しなければならない患者数が持続的に増加しており、また、高齢化が進むことによって長期間薬を服用する老人の数が急増している。この時、長期的な治療を要したり種々の疾病にかかった患者の場合、毎日薬を服用しなければならない。
【０００３】
ところが、忙しく生活していると、薬を服用したか否か忘れてしまい、ある日は薬を服用しなかったり、または、重複服用する場合が頻繁であった。このような現象は特に老人患者に頻繁に生じ、これにより薬の効能が十分得られず、適切な治療にならないことが多い。
【０００４】
このような問題を解決するために、患者は、カレンダーやスケジュールに毎日の薬の服用事実を直接チェックしたり、処方された薬袋に服用する日付を予め書いて参照しながら服用したりもするが、これらも忙しい業務や記憶力低下によって守れなくなるという問題があった。
【発明の概要】
【発明が解決しようとする課題】
【０００５】
本発明は、上記のような問題を解決するために創出されたものであり、薬を服用するために薬ビンのキャップを開けた時、自動で日付表示が変わって薬の服用の可否を正確に知ることが出来るようにする薬ビン用日付表示キャップを提供することを目的とする。
【課題を解決するための手段】
【０００６】
前記目的を達成するために、本発明に係る薬ビン用日付表示キャップは、ユーザによって正方向または逆方向に回転するものであり、表示窓１１、１１１が形成された外側キャップ１０、１１０；内周面に薬ビン(Ｂ）の入口(Ｂ１）にねじ結合するねじ部２０ａ、１２０ａが形成されたものであり、前記外側キャップ１０、１１０の内側に回転可能に設置される内側キャップ２０、１２０；及び前記外側キャップ１０、１１０と内側キャップ２０、１２０との間に設置されるものであり、前記内側キャップ２０、１２０に対し前記外側キャップ１０、１１０が正逆回転する時前記表示窓１１、１１１に変わった日付を表示する日付表示部３０、１３０；を含むことを特徴とする。
【０００７】
本発明において、前記外側キャップ１０の上部には表示窓１１が形成されて；前記日付表示部３０は、上部に前記表示窓１１を通して露出する多数の日付が表示される回転表示端３１を含む。この時、前記外側キャップ１０は、内周面側部に形成された突起１２と、内側上部に形成された弾性突起１３を含み；前記内側キャップ２０は、外周面に前記突起１２が挟み込まれて特定間隔動くようにする空間を形成する突起溝２２を含み；前記日付表示部３０は、前記回転表示端３１を画する区画端３２と、前記弾性突起１３が挟み込まれるものであり、前記区画端３２の間で円周をなして形成される多数の弾性突起係止端３３、３３’を含む。
【０００８】
本発明において、前記突起１２は、前記内側キャップ２０を外側キャップ１０に結合させる時外側方向に押圧されながら前記突起溝２２に挟み込まれるようにする嵌合傾斜面１２ａをさらに含む。
【０００９】
本発明において、前記弾性突起１３は、前記外側キャップ１０の内側上部に固定される固定端１３ａと、前記固定端１３ａで一側に延びる弾性端１３ｂと、前記弾性端１３ｂと連結されて特定弾性突起係止端３３、３３’に選択的に係止される嵌合押圧端１３ｃを含む。
【００１０】
本発明において、前記外側キャップ１０の下端に形成されて前記内側キャップ２０の下端を支持する離脱防止突起１５をさらに含む。
【００１１】
本発明において、前記離脱防止突起１５に形成されたものであり、前記内側キャップ２０が前記外側キャップ１０に嵌合される方向に形成された傾斜面１５ａをさらに含む。
【００１２】
本発明において、前記外側キャップ１１０の側部には、表示窓１１１が形成されて；前記日付表示部１３０は、側部外周面に前記表示窓１１１に露出する多数の日付が表示される回転表示端１３１を含む。この時、前記内側キャップ１２０の外周面に形成された第１係止部１４０；前記外側キャップ１１０の内周面に形成されたものであり、前記第１係止部１４０が係止されて制限的に動けるようにする空間を提供する第２係止部１５０；前記外側キャップ１１０の内側に形成されたものであり、一方向に傾斜面が形成された多数の第１ラッチ端１６０；前記日付表示部１３０の外周面に形成されたものであり、前記第１ラッチ端１６０と同じ方向の傾斜面が形成された多数の第２ラッチ端１７０；前記日付表示部１３０の内周面に形成されたものであり、前記第２ラッチ端１７０と逆方向の傾斜面が形成された多数の第３ラッチ端１８０；及び前記内側キャップ１２０の外周面に形成されたものであり、第３ラッチ端１８０と同じ方向の傾斜面が形成された多数の第４ラッチ端１９０；をさらに含む。
【００１３】
本発明において、前記外側キャップ１１０の内側上段に管状の嵌合管部１１２が形成されて；前記日付表示部１３０には、前記嵌合管部１１２に回転可能に嵌合する嵌合突部１３２が形成されて；前記第１ラッチ端１６０は、前記嵌合管部１１２の内周面に形成されて；前記第２ラッチ端１７０は、前記嵌合突部１３２の外周面に形成される。
【００１４】
本発明において、前記第１ラッチ端１６０は、前記外側キャップ１１０の内周面に一側方向に斜めに形成された翼形態で；前記第３ラッチ端１８０は、前記日付表示部１３０の内周面に他側方向に斜めに形成された翼形態である。
【００１５】
本発明において、前記内側キャップ１２０は、第１内側キャップ部１２１及び第２内側キャップ部１２２を有し；前記第１係止部１４０は、前記第１内側キャップ部１２１の外周面に形成されて；前記第４ラッチ端１９０は、前記第２内側キャップ部１２２の外周面に形成される。
【００１６】
本発明において、前記第２内側キャップ部１２２の径は、前記第１内側キャップ部１２１より小さく段差形成される。
【００１７】
本発明において、前記第１係止部１４０は、前記第１内側キャップ部１２１の外周面で突出した突起で具現されて；前記第２係止部１５０は、前記外側キャップ１１０の入口側内周面に円周方向に沿って所定角度だけ形成された円周溝で具現されるものであり、前記外側キャップ１１０を回転させる時、円周溝形態である前記第２係止部１５０の前段１５０ａ及び後段１５０ｂとの間で前記第１係止部１４０が制限的に動く空間を提供する。
本発明において、前記内側キャップ１２０に固定される防湿剤キャップ２１０をさらに含む。
【発明の効果】
【００１８】
本発明によれば、患者が薬を服用するために日付表示キャップを開閉する時、外側キャップの表示窓を通して自動的に変わった日付が表示される。従って、カレンダーやスケジュールに薬の服用事実を直接チェックしなくとも、特定日に薬を服用した否かを正確に知ることが出来て、これによって決まった時期に薬を正確に服用できて、薬の効能が十分に得られ、適切な治療が可能となる作用・効果がある。
【図面の簡単な説明】
【００１９】
【図１】本発明に係る薬ビン用日付表示キャップの第１実施形態の分解斜視図である。
【図２】図１の薬ビン用日付表示キャップの断面図である。
【図３Ａ】図２の薬ビン用日付表示キャップの動作を説明するための図面である。
【図３Ｂ】図２の薬ビン用日付表示キャップの動作を説明するための図面である。
【図３Ｃ】図２の薬ビン用日付表示キャップの動作を説明するための図面である。
【図４】図１の薬ビン用日付表示キャップがビン本体に結合した状態を示した図面である。
【図５】本発明に係る薬ビン用日付表示キャップの第２実施形態の分解斜視図である。
【図６Ａ】図５のビン本体を抜粋して側面から見た図面である。
【図６Ｂ】図６Ａのビン本体を上部側から見た図面である。
【図７Ａ】図５の外側キャップの側断面図である。
【図７Ｂ】図７Ａの外側キャップの内側に形成された第１ラッチ端を説明するための図面である。
【図８Ａ】図５の内側キャップの側面図である。
【図８Ｂ】図８Ａの内側キャップを上部側から見た図面である。
【図９Ａ】図５の日付表示部の側面図である。
【図９Ｂ】図９Ａの日付表示部の第２ラッチ端を説明するための図面である。
【図９Ｃ】図９Ｂの第２ラッチ端に滑り防止段が連結されるように形成された様子を説明するための図面である。
【図９Ｄ】図９Ａの日付表示部の内側に形成された第３ラッチ端を説明するための図面である。
【図１０】図５の薬ビン用日付表示キャップが、ビン本体に結合した状態を示した図面である。
【図１１】図１０のＸＩ-ＸＩ’線に沿った断面図である。
【図１２】図１０のＸＩＩ-ＸＩＩ’線に沿った断面図である。
【図１３】図１０のＸＩＩＩ-ＸＩＩＩ’線に沿った断面図である。
【発明を実施するための形態】
【００２０】
以下、本発明に係る薬ビン用日付表示キャップを添付された図面を参照して説明する。
【００２１】
図１は、本発明に係る薬ビン用日付表示キャップの第１実施形態の分解斜視図であって、図２は、図１の薬ビン用日付表示キャップの断面図であって、図３Ａ、３Ｂ及び３Ｃは、図２の薬ビン用日付表示キャップの動作を説明するための図面であって、図４は、図１の薬ビン用日付表示キャップがビン本体に結合した状態を示した図面である。
【００２２】
図示されたように、本発明に係る薬ビン用日付表示キャップの第１実施形態は、ユーザ(患者)によって正方向または逆方向に回転するものであり、表示窓１１が形成された外側キャップ１０と；内周面に薬ビン(Ｂ）の入口(Ｂ１）にねじ結合するねじ部２０ａが形成されたものであり、外側キャップ１０の内側に回転可能に設置される内側キャップ２０と；外側キャップ１０と内側キャップ２０との間に設置されるものであり、前記内側キャップ２０に対して外側キャップ１０が正逆回転する時表示窓１１に変わった日付を表示する日付表示部３０；を含む。
【００２３】
外側キャップ１０は、図１に示されたように、上部に形成された表示窓１１と、内周面側部に形成された突起１２と、内側上部に形成された弾性突起１３を含む。
【００２４】
表示窓１１は、後述する回転表示端３１に形成された日付が表示する穴である。この時、表示窓１１は、一つの日付だけ表示される大きさを持つ。
【００２５】
突起１２は、後述する内側キャップ２０の突起溝２２に嵌め込まれる。この時、突起１２の下端には、嵌合傾斜面１２ａが形成されており、このような嵌合傾斜面１２ａによって内側キャップ２０を外側キャップ１０に結合させる時、突起１２が外側方向に押圧されながら突起溝２２に嵌め込まれる。もし、嵌合傾斜面１２ａが形成されない場合、内側キャップ２０を外側キャップ１０に嵌めて組み付ける際に、突起１２が内側キャップ２０の上端に掛かることになり、これによって、組付け性が非常に落ちることになる。
【００２６】
弾性突起１３は、薬ビン(Ｂ）から薬を取り出すために、日付表示キャップを一方向または逆方向に回転させる時、後述する日付表示部３０を回転させるためのものである。このような弾性突起１３は、図３Ａ、３Ｂ及び３Ｃに示されたように、外側キャップ１０の内側上部に固定される固定端１３ａと、固定端１３ａから一側に延びる弾性端１３ｂと、弾性端１３ｂと連結されて特定弾性突起係止端３３、３３’に選択的に係止される嵌合押圧端１３ｃを含む。
【００２７】
嵌合押圧端１３ｃには、傾斜面が形成されており、固定端１３ａから一側に延びる弾性端１３ｂに連結されている。従って、図３Ａに示されたように、特定弾性突起係止端３３に係止されており、外側キャップ１０が内側キャップ２０に対し一方向に回転すると図３Ｂに示されたように日付表示部３０の区画端３２の上部に乗り上がり、外側キャップ１０がさらに回転すると、隣接した他の弾性突起係止端３３’に係止されるものである。なお、ユーザが外側キャップ１０を逆方向に回転すると、嵌合押圧端１３ｃは、区画端３２を逆方向に押圧すことになり、その結果日付表示部３０を回転させるものである。
【００２８】
外側キャップ１０の内側には、内側キャップ２０が回転可能に嵌め込まれ、内側キャップ２０が、外側キャップ１０から離脱しないように外側キャップ１０の下端に離脱防止突起１５が形成される。この時、離脱防止突起１５には、内側キャップ２０が嵌め込まれる方向に傾斜面１５ａが形成されている。従って、内側キャップ２０を外側キャップ１０に押込む動作で外側キャップ１０に容易に嵌め込まれるため、組付け性が非常に良く、内側キャップ２０の下端は、離脱防止突起１５によって支持されるため、外側キャップ１０から離脱しなくなる。
【００２９】
内側キャップ２０は、外側キャップ１０の内側に回転可能に設置されるものであり、図１に示されたように、外周面に突起１２が嵌めこまれて特定間隔動くようにする空間を形成する突起溝２２が形成される。このような突起溝２２は、内側キャップ２０の外周面に沿って長く形成されており、外側キャップ１０を回転させる時、突起１２が突起溝２２の前段２２ａと後段２２ｂとの間で動くようにする空間を提供する。
【００３０】
日付表示部３０は、内側キャップ２０の上部に回転可能に設置されものであり、表示窓１１を通して露出する多数の日付が表示された円盤形態の回転表示端３１と、回転表示端３１を画する区画端３２と、弾性突起１３が嵌め込まれるものであり、前記区画端３２の間で円周をなして形成される多数の弾性突起係止端３３、３３’を含む。
【００３１】
回転表示端３１は、円盤形態になっており、中央に貫通孔３４が形成されており、内側キャップ２０の上端に形成された軸部２４に回転可能にはめ込まれて結合する。この時、回転表示端３１を内側キャップ２０の上端に回転可能に結合するようにするために、回転表示端３１に軸部が形成されて、内側キャップ２０の上端にその軸部が嵌め込まれるようになる貫通孔が形成された構造で実現できることは言うまでもない。このような回転表示端３１には、薬を服用する日付や曜日が表示されて、一週間を表示する７個の文字が円周方向に沿って形成される。
【００３２】
区画端３２は、回転表示端３１で７個の日付が表示されるように画して、前述した弾性突起１３の嵌合押圧端１３ｃによって押圧される部分である。
【００３３】
弾性突起係止端３３、３３’は、区画端３２の間に表示された日付の個数と同じ数だけ形成されており、本実施形態では７個が形成されている。弾性突起係止端３３、３３’は、回転表示端３１の外側または内側に円周方向に沿って形成されており、薬ビン(Ｂ）から薬を取り出すために日付表示キャップを一方向または逆方向に回転させる時、弾性突起１３の嵌合押圧端１３ｃが選択的に係止される。このような弾性突起係止端３３、３３’は、多様な形態で具現され、例えば回転表示端３１の表面から没入したり、一方向に傾斜面があるラチェットギア形態など多様に実現することができる。本実施形態で弾性突起係止端３３、３３’は、区画端３２の間で回転表示端３１の表面から没入した構造を持つとして説明する。
【００３４】
一方、内側キャップ２０と回転表示端３１との間には、回転表示端３１が内側キャップ２０で動きにくいようにする摩擦端２５、３５が形成されている。摩擦端２５、３５は、弾性突起１３が特定弾性突起係止端３３、３３’の間の区画端３２を越える時、回転表示端３１が動かないようにする摩擦力を発生するものである。このような摩擦端２５、３５は、多様な形態で具現され、本実施形態では回転表示端３１と内側キャップ２０が接触する部分に形成された多数の凹凸になっている。
【００３５】
次に、前記のような薬ビン用日付表示キャップの動作を説明する。
【００３６】
図３Ａに示されたように、内側キャップ２０を外側キャップ１０に組み付けた状態で、突起１２が突起溝２２に嵌め込まれている。この時、弾性突起１３の嵌合押圧端１３ｃは、特定弾性突起係止端３３に嵌め込まれている。
【００３７】
以後、ユーザが薬ビン(Ｂ）に保存された薬を取り出すために、外側キャップ１０を一方向に回転させると、図３Ｂに示されたように突起１２が右側に移動して、一方、嵌合押圧端１３ｃも右側に移動しながら回転表示端３１の区画端３２に乗り上がる。この時、内側キャップ２０と回転表示端３１との間に摩擦端２５、３５が形成されており、嵌合押圧端１３ｃが、区画端３２乗り超える時、回転表示端３１は動かない。
【００３８】
以後、外側キャップ１０をさらに回転させると、突起１２は右側に完全に移動して後段２２ｂで止まって、この時嵌合押圧端１３ｃは、次の弾性突起係止端３３’に嵌め込まれる。
【００３９】
以後、薬を取り出した後、薬ビン(Ｂ）を閉めるために、薬ビン用日付表示キャップ、厳密には外側キャップ１０を逆方向に回転させると、内側キャップ２０が回転しながら薬ビン入口(Ｂ１）に完全に結合して、この状態でもう少し回転させると、嵌合押圧端１３ｃは区画端３２を左側方向に押圧しながら摩擦端２５３５の摩擦力を克服しながら回転表示端３１を回転させる。これにより、表示窓１１に表示される日付が自動的に変わることになる。
【００４０】
即ち、ユーザが本願の薬ビン用日付表示キャップを開閉する時、表示窓に表示される日付が自動的に変わることになる。
【００４１】
次に、本発明に係る薬ビン用日付表示キャップの第２実施形態を説明する。
【００４２】
図５は、本発明に係る薬ビン用日付表示キャップの第２実施形態の分解斜視図で、図６Ａは、図５のビン本体を抜粋して側面から見た図面で、図６Ｂは、図６Ａのビン本体を上部側から見た図面である。また、図７Ａは、図５の外側キャップの側断面図で、図７Ｂは、図７Ａの外側キャップの内側に形成された第１ラッチ端を説明するための図面である。また、図８Ａは、図５の内側キャップの側面図で、図８Ｂは、図８Ａの内側キャップを上部側から見た図面である。そして、図９Ａは、図５の日付表示部の側面図で、図９Ｂは、図９Ａの日付表示部の第２ラッチ端を説明するための図面であり、図９Ｃは、図９Ｂの第２ラッチ端に滑り防止段が連結されるように形成された様子を説明するための図面で、図９Ｄは、図９Ａの日付表示部の内側に形成された第３ラッチ端を説明するための図面である。
【００４３】
図示されたように、本発明に係る薬ビン用日付表示キャップの第２実施形態は、ユーザ(患者)によって正方向または逆方向に回転するものであり、表示窓１１１が形成された外側キャップ１１０と；内周面に薬ビン(Ｂ）の入口(Ｂ１）にねじ結合するねじ部１２０ａが形成されたものであり、外側キャップ１１０の内側に回転可能に設置される内側キャップ１２０と；外側キャップ１１０と内側キャップ１２０との間に設置されるものであり、内側キャップ１２０に対して外側キャップ１１０が正逆回転する時表示窓１１１に変わった日付を表示する日付表示部１３０；を含む。
【００４４】
また、日付表示キャップの第２実施形態は、内側キャップ１２０の外周面に形成された第１係止部１４０と；外側キャップ１１０の内周面に形成されたものであり、第１係止部１４０が係止されて制限的に動けるようにする空間を提供する第２係止部１５０と；外側キャップ１１０の内側に形成されたものであり、一方向に傾斜面が形成された多数の第１ラッチ端１６０と；日付表示部１３０の外周面に形成されたものであり、第１ラッチ端１６０と同じ方向の傾斜面が形成された多数の第２ラッチ端１７０と；日付表示部１３０の内周面に形成されたものであり、第２ラッチ端１７０と逆方向の傾斜面が形成された多数の第３ラッチ端１８０と；内側キャップ１２０の外周面に形成されたものであり、第３ラッチ端１８０と同じ方向の傾斜面が形成された多数の第４ラッチ端１９０と；内側キャップ１２０の内周面に形成されたものであり、入口(Ｂ１）側ビン本体(Ｂ）に形成されたラッチ突起(Ｂ２)に選択的に係止される係止突起２００と；内側キャップ１２０に固定される防湿剤キャップ２１０；を含む。
【００４５】
ビン本体(Ｂ）は、薬が受容されるものであり、その上部にはねじ山を有する入口(Ｂ１）が形成されている。この時、図６Ａ及び６Ｂに示されたように、入口(Ｂ１）側ビン本体(Ｂ）の上部にはラッチ突起(Ｂ２)が形成されており、ラッチ突起(Ｂ２)には一方向に傾斜面(Ｂ２’)が形成されている。
【００４６】
図７Ａ及び７Ｂに示されたように、外側キャップ１１０は、全体的に円筒形状を持ち、時計回りまたは半時計回りに回転する。このような外側キャップ１１０の側部に形成された表示窓１１１は、後述する回転表示端１３１に表示された日付が外部に見られるようにする。
【００４７】
また、外側キャップ１１０の内側上段に管状の嵌合管部１１２が形成されて、図５に示されたように日付表示部１３０には嵌合管部１１２に回転可能に嵌合するようになる嵌合突部１３２が形成される。この場合、第１ラッチ端１６０は嵌合管部１１２の内周面に形成されて、第２ラッチ端１７０は嵌合突部１３２の外周面に形成される。
【００４８】
内側キャップ１２０は、図８Ａ及び８Ｂに示されたように、全体的に円筒形状を持つ第１内側キャップ部１２１及び第２内側キャップ部１２２を有する。この時、第１、２内側キャップ部１２１、１２２は、段差形成された構造を持ち、第１内側キャップ部１２１の径は、第２内側キャップ部１２２の径より大きい。前記第１内側キャップ部１２１の外周面には、前記第１係止部１４０が形成されて、第２内側キャップ部１２２の外周面には、前記第４ラッチ端１９０が形成される。
【００４９】
日付表示部１３０は、図９Ａ、９Ｂ、９Ｃ及び９Ｄに示されたように、全体的に円筒形状を持つ。このような日付表示部１３０は、表示窓１１１を通して見える日付が表示された円筒形態の回転表示端１３１を有し、回転表示端１３１には薬を服用する日付や曜日が表示されている。本実施形態では、例えば一週間を表示する７個の文字、即ち月、火、水、木、金、土、日曜日を意味する日付が円周方向に沿って表示されている。しかし、回転表示端１３１には、各々の日付に朝及び夕方を意味するように１４個の文字が表示されたり、朝、昼、夕方を意味するように２１個の文字が表示されたり、曜日が表示できることは言うまでもない。即ち、日付表示部１３０は、円筒形になって大きい表示空間があるため、多数個の文字を表示できる。
【００５０】
第１係止部１４０は、図５及び図８Ｂに示されたように、内側キャップ１２０の第１内側キャップ部１２１に外周面に突出した突起形態で具現される。
【００５１】
第２係止部１５０は、図５及び図７Ａに示されたように、外側キャップ１１０の入口側内周面に円周方向に沿って所定角度だけ形成された円周溝で具現される。このような第２係止部１５０は、円周溝形態になることで、外側キャップ１１０を回転させる時、図１１に示されたように突起形態の第１係止部１４０が第２係止部１５０の前段１５０ａ及び後段１５０ｂとの間で制限的に動く空間を提供する。即ち、第１、２係止部１４０１５０によって、外側キャップ１１０が時計回りまたは半時計回りに回転する時、内側キャップ１２０に対する外側キャップ１１０に回転動き角度が制限される。
【００５２】
第１ラッチ端１６０は、図５、図７Ａ及び７Ｂに示されたように、外側キャップ１１０の嵌込管部１１２内周面に形成される。このような第１ラッチ端１６０は、一側方向に傾斜面が形成された構造を持ち、さらに詳細には中心軸方向に斜めに形成された翼形態で具現される。
【００５３】
第２ラッチ端１７０は、図５、図９Ａ、９Ｂ及び図１２に示されたように、第１ラッチ端１６０に選択的に係止されるものであり、嵌合突部１３２の外周面に第１ラッチ端１６０と同じ方向の傾斜面を持つように形成される。従って、第１ラッチ端１６０は、外側キャップ１１０の回転方向に沿って第２ラッチ端１７０を乗り超えるが、第２ラッチ端１７０に係止されてその第２ラッチ端１７０を動かすことになる。このような第２ラッチ端１７０は、日付の個数と同じ個数が形成されており、日付が７個であるため、７個が形成されている。
【００５４】
一方、図９Ｃに示されたように、第２ラッチ端１７０には、第２ラッチ端１７０と他の第２ラッチ端との間で第１ラッチ端１６０が滑って動きすぎることを防ぐ機能を持った滑り防止段１７０ａが連結されるように形成されてもよい。このような滑り防止段１７０ａは、第１ラッチ端１６０が自由に動ける空間をとても非常に小さい範囲に制限するため、薬ビンを開けるために一定以上の力が与えない状態では、第１ラッチ端１６０は定まった位置から外れることなく、結果的に日付表示部１３０の日付が表示窓１１１の中に正確に位置することになる。
【００５５】
もし滑り防止段１７０ａを採用しない場合、第１ラッチ端１６０が第２ラッチ端１７０と隣接した第２ラッチ端１７０の間の比較的広い範囲の空間で外部の小さい力によっても滑って動くことになるが、この場合日付表示部１３０の日付が表示窓１１１の中に正確に位置できなくなる。
【００５６】
第３ラッチ端１８０は、図５及び図９Ｄに示されたように、日付表示部１３０の内周面に形成される。このような第３ラッチ端１８０は、他側方向に傾斜面が形成された構造を持って、さらに詳細には図９Ｄに示されたように中心軸方向に斜めに形成された翼形態で具現される。
【００５７】
第４ラッチ端１９０は、図５、図８Ａ、８Ｂ及び図１３に示されたように、第２内側キャップ部１２２の外周面に形成される。このような第４ラッチ端１９０は、図１３に示されたように、第３ラッチ端１８０と同じ方向の傾斜面を持つように形成される。従って、第３ラッチ端１８０は、日付表示部１３０の回転方向に沿って第４ラッチ端１９０を乗り超えるか、第４ラッチ端１９０に係止されてその第４ラッチ端９０を動かすことになる。
【００５８】
即ち、第１、２ラッチ端１６０、１７０の傾斜面方向は、第３、４ラッチ端１８０、１９０の傾斜面方向が逆方向に向かっている。
【００５９】
係止突起２００は、図５に示されたように、第１内側キャップ部１２１の内周面に形成される。このような係止突起２００は、図６Ａ及び図６Ｂに示された入口(Ｂ１）側ビン本体(Ｂ）に形成されたラッチ突起(Ｂ２)に選択的に係止または分離する。
【００６０】
防湿剤キャップ２１０は、図５に示されたように内側キャップ１２０に嵌め込まれて固定されるものであり、その内部に防湿材が内蔵されている。
【００６１】
一般に、薬ビンには湿気を除去するためのシリカゲルのような防湿剤が封筒形態で内臓されている。従って、薬を取り出そうとする場合、まず手で防湿剤を摘んでビン本体から取り出し、その後ビン本体に戻さなければならない煩わしさがあった。この時、防湿剤は手で摘むため、手に付いた異物や細菌などによって汚染することがあり、このような防湿剤によって薬が異物や細菌などによって２次汚染されうる。
【００６２】
しかし、本発明では防湿剤が内蔵された防湿剤キャップ２１０が、内側キャップ１２０に固定されるため、ふたをビン本体(Ｂ）から分離する時手で摘むことなくビン本体(Ｂ）外部に取り出される。従って、手に付いた異物や細菌によって防湿剤が汚染される可能性を排除することができる。
【００６３】
前記第１、２、３、４ラッチ端１６０、１７０、１８０、１９０、係止突起２００は、射出成形可能になるように中心軸(Ｃ)方向に沿って形成されており、外側キャップ１１０、内側キャップ１２０及び日付表示部１３０を射出成形する時一緒に形成される。即ち、前記外側キャップ１１０、内側キャップ１２０、日付表示部１３０、第１、２、３、４ラッチ端１６０、１７０、１８０、１９０及び係止突起２００は、射出成形が可能な構造である。
【００６４】
図１０は、図５の薬ビン用日付表示キャップがビン本体に結合した状態を示した図面で、図１１は、図１０のＸＩ−ＸＩ’線に沿った断面図で、図１２は、図１０のＸＩＩ−ＸＩＩ’線に沿った断面図、図１３は、図１０のＸＩＩＩ−ＸＩＩＩ’線に沿った断面図である。
【００６５】
第１ラッチ端１６０と第２ラッチ端１７０は、図１２に示されたように結合して、外側キャップ１１０の回転方向に沿って日付表示部１３０を回転させる。本実施形態で、外側キャップ１１０を半時計回りに回転させる時、第１ラッチ端１６０は、第２ラッチ端１７０を乗り越えて、外側キャップ１１０を時計回りに回転させる時、第１ラッチ端１６０は、嵌合突部１３２を回転させて、結果的に日付表示部１３０を回転させる。
【００６６】
また、第３ラッチ端１８０と第４ラッチ端１９０は、図１３に示されたように結合して、日付表示部１３０の回転表示端１３１の回転方向に沿って内側キャップ１２０の第２内側キャップ部１２２を回転させる。
【００６７】
次に、上述した薬ビン用日付表示ふたの動作を説明する。
【００６８】
外側キャップ１１０の内側に日付表示部１３０を嵌め込み、日付表示部１３０に内側キャップ１２０を嵌めこむことによって組み付けが完成される。このような日付表示キャップをビン本体(Ｂ）に結合させると、係止突起２００がラッチ突起(Ｂ２)に係止された状態を維持する。
【００６９】
ユーザが薬ビンに保存された薬を取り出すために、外側キャップ１１０を正方向または逆方向に回転させると、第２係止部１５０に係止された第１係止部１４０は、図１１に示されたように第２係止部１５０の前段１５０ａまたは後段１５０ｂに選択的に密着して、外側キャップ１１０と共に回転しながらビン本体(Ｂ）の入口(Ｂ１）を開閉することになる。
【００７０】
この時、外側キャップ１１０を反時計回りまたは時計回りに回転させる度に第１ラッチ端１６０が第２ラッチ端１７０を乗り越えたり回転させて、また、第１、２ラッチ端１６０、１７０と逆方向の傾斜面が形成された第３ラッチ端１８０が、第４ラッチ端１９０を乗り越えたり回転させることによって、日付表示部１３０を日付別に回転させる。これにより、表示窓１１１に表示される日付が自動的に変わることになる。即ち、ユーザが本願の薬ビン用日付表示キャップを開閉する時、表示窓１１１に表示される日付が自動的に変わることになる。
【００７１】
このように、薬ビン用日付表示キャップの第２実施形態において、表示窓１１１が外側キャップ１１０の側部に位置されるため、薬ビンが立てられた状態で比較的遠い距離からでも日付を確認できて、薬服用可否を簡単に確認することができる。特に、薬服用が頻繁な人や動きが不便な患者の場合、体を動かして薬ビンがある所まで行って一々薬ビンを開けて確認しなければならない煩わしさがなく、単に薬ビンが置かれたところを見るだけでも服用可否確認が可能になる。
【００７２】
また、表示窓１１１が外側キャップ１１０の側面に位置されて、より広い表示窓１１１の空間確保が可能である。従って、視力が弱い老齢層の日付確認がより容易になって、字の大きさも大きいため、比較的遠い距離からでも日付を確認することができる。特に、表示窓１１１が外側キャップ１１０の側面に位置されて、表示窓１１１の形も比較的自由に選択することができる。
【００７３】
また、表示窓１１１で日付を表示する回転表示端１３１が円筒形になって大きい表示空間になる。従って、回転表示端１３１に１４個の文字(各曜日毎に朝、夕方服用時)、または、２１個の文字(各曜日毎に朝、昼、夕方服用時)まで表示が可能になって、一日に１回だけ薬を服用する人だけでなく一日に２〜３回服用する人のための日付表示ふたの製作が可能になる。即ち、より多様な薬服用パターンを持ったユーザのためのオーダーメード型日付表示ふたの製作が可能になる。
【００７４】
このように、本発明に係る薬ビン用日付表示キャップの第１、２実施形態によると、患者が薬を服用するために日付表示ふたを開閉する時、表示窓１１、１１１を通して自動的に変わった日付が表示される。従って、ユーザ(患者)がカレンダーやスケジュールに薬の服用事実を直接チェックしなくとも、特定日に薬を服用したか否かを正確に知ることが出来て、これにより決めた時間に薬を正確に服用できて、薬の効能を十分に得られ、適切な治療が可能になる。
【００７５】
本発明は、図面に示された一実施形態を参考に説明されたが、これは例示的なものに過ぎなく、本技術分野の通常の知識を有する者ならば、これから多様な変形及び均等な他の実施形態が可能であるいう点を理解するであろう。
【図１】
0005782191.tif 000002
【図２】
0005782191.tif 000003
【図３ａ】
0005782191.tif 000004
【図３ｂ】
0005782191.tif 000005
【図３ｃ】
0005782191.tif 000006
【図４】
0005782191.tif 000007
【図５】
0005782191.tif 000008
【図６ａ】
0005782191.tif 000009
【図６ｂ】
0005782191.tif 000010
【図７ａ】
0005782191.tif 000011
【図７ｂ】
0005782191.tif 000012
【図８ａ】
0005782191.tif 000013
【図８ｂ】
0005782191.tif 000014
【図９Ａ】
0005782191.tif 000015
【図９Ｂ】
0005782191.tif 000016
【図９Ｃ】
0005782191.tif 000017
【図９Ｄ】
0005782191.tif 000018
【図１０】
0005782191.tif 000019
【図１１】
0005782191.tif 000020
【図１２】
0005782191.tif 000021
【図１３】
0005782191.tif 000022